(57)【要約】【課題】リテーナをコネクタハウジングに係止するための構造と、コネクタハウジングの相手側ハウジングとの嵌合をガイドするための構造との干渉を回避できるコネクタを提供することを目的とする。【解決手段】コネクタ１は、端子収容部２０と、端子収容部２０を横切って配置されるリテーナ収容部６０とを有するコネクタハウジング１０と、リテーナ収容部６０内に配置され、端子収容部２０を横切る方向に変位するリテーナ７０とを備え、コネクタハウジング１０が、相手側ハウジングと係止するロックアーム３１を備え、互いに係合してコネクタハウジング１０に対してリテーナ７０を保持する保持部８１および保持受部４１のうち一方がコネクタハウジング１０に、他方がリテーナ７０に配置され、保持部８１および保持受部４１が、リテーナ７０の変位方向において、ロックアーム３１と重なって配置されている。【選択図】図１
2015225756.tif 000002
【特許請求の範囲】
【請求項１】
端子を収容する端子収容部と、前記端子収容部を横切って配置されるリテーナ収容部とを有し、相手側ハウジングと嵌合されるコネクタハウジングと、
前記リテーナ収容部内に配置され、前記端子収容部を横切る方向に変位するリテーナとを備え、
前記コネクタハウジングが、外面に配置され、前記相手側ハウジングと嵌合する途上では撓み変形し、嵌合の完了に伴って弾性復帰して前記相手側ハウジングと係止するロックアームを備え、
互いに係合して前記コネクタハウジングに対して前記リテーナを保持する保持部および保持受部のうち一方が前記外面に、他方が前記リテーナに配置され、
前記保持部および前記保持受部が、前記リテーナの変位方向において、前記ロックアームと重なって配置されているコネクタ。
【請求項２】
前記保持部が、前記コネクタハウジングに対して前記リテーナが変位する途上では撓み変形し、変位の完了に伴って弾性復帰して前記コネクタハウジングと係合する撓み部を備え、
前記保持受部が、前記撓み部に当接することで前記撓み部の前記コネクタハウジングへの係合を脱する方向への撓みを規制する撓み規制部を備え、
前記撓み規制部が、前記撓み部と当接する面に開口する撓み許容空間を有している、請求項１に記載のコネクタ。
【発明の詳細な説明】
【技術分野】
【０００１】
本発明は、コネクタに関する。
【背景技術】
【０００２】
従来、コネクタハウジングに収容した端子金具を、リテーナによって抜け止めするコネクタが知られている。特開平１１−１６２５４７号公報には、コネクタハウジングと、サイドリテーナとを有するコネクタが開示されている。コネクタハウジングは、端子金具を収容可能な複数の端子収容部と、相手側コネクタハウジングとの嵌合状態を保持するためのロックアームとを備えている。サイドリテーナは、コネクタハウジングの側面から端子収容部を横切るように差し込まれて、端子金具を抜け止めする。サイドリテーナは、コネクタハウジングにおいてロックアームが設けられた面に重なって配置される係止板を有し、この係止板と、コネクタハウジングとに、互いに係合してサイドリテーナをコネクタハウジングに対して固定するロック手段が設けられている。
【先行技術文献】
【特許文献】
【０００３】
【特許文献１】特開平１１−１６２５４７号公報
【発明の概要】
【発明が解決しようとする課題】
【０００４】
コネクタハウジングと相手側ハウジングとの間には、両コネクタを嵌合する際にコネクタハウジングと相手側ハウジングとの嵌合をガイドするためのガイド構造が設けられることがある。
【０００５】
上記のコネクタにこのようなガイド構造を採用する場合、ロックアームと、コネクタハウジングの左右両側縁にそれぞれ立てられた側壁との間の空間をガイド溝とし、相手側ハウジングに、このガイド溝に挿入されるガイドリブを設けることが考えられる。
【０００６】
しかし、上記のコネクタでは、係止板がコネクタハウジングのロックアームが設けられた面に重なって配置されているから、係止板との干渉を避けるため、相手側ハウジングのリブの高さが係止板の板厚分だけ小さくなってしまう。
【０００７】
本発明は上記のような事情に基づいて完成されたものであって、リテーナをコネクタハウジングに係止するための構造と、コネクタハウジングの相手側ハウジングとの嵌合をガイドするための構造との干渉を回避できるコネクタを提供することを目的とする。
【課題を解決するための手段】
【０００８】
本発明は、端子を収容する端子収容部と、前記端子収容部を横切って配置されるリテーナ収容部とを有し、相手側ハウジングと嵌合されるコネクタハウジングと、前記リテーナ収容部内に配置され、前記端子収容部を横切る方向に変位するリテーナとを備え、前記コネクタハウジングが、外面に配置され、前記相手側ハウジングと嵌合する途上では撓み変形し、嵌合の完了に伴って弾性復帰して前記相手側ハウジングと係止するロックアームを備え、互いに係合して前記コネクタハウジングに対して前記リテーナを保持する保持部および保持受部のうち一方が前記外面に、他方が前記リテーナに配置され、前記保持部および前記保持受部が、前記リテーナの変位方向において、前記ロックアームと重なって配置されているコネクタである。
【０００９】
このような構成によれば、コネクタハウジングの外面において、ロックアーム、保持部および保持受部が配置されている領域の外側に、リテーナをコネクタハウジングに保持するための構造とコネクタハウジングを相手側ハウジングに保持するための構造との双方が存在しない領域を確保することができる。そして、ここに、コネクタハウジングと相手側ハウジングとの嵌合をガイドするための構造を配置することができる。これにより、リテーナをコネクタハウジングに係止するための構造と、コネクタハウジングの相手側ハウジングとの嵌合をガイドするための構造との干渉を回避できる。
【００１０】
本発明の実施態様としては以下の態様が好ましい。
【００１１】
前記保持部が、前記コネクタハウジングに対して前記リテーナが変位する途上では撓み変形し、変位の完了に伴って弾性復帰して前記コネクタハウジングと係止する撓み部を備え、前記保持受部が、前記撓み部に当接することで前記撓み部の前記コネクタハウジングへの係合を脱する方向への撓みを規制する撓み規制部を備え、前記撓み規制部が、前記撓み部と当接する面に開口する撓み許容空間を有していてもよい。
【００１２】
このような構成によれば、撓み許容空間によって、リテーナのコネクタハウジングへの組付け時に必要な、撓み部の最低限の変形を許容しつつ、撓み規制部によって撓み部を押さえることで、保持部と保持受部との係止力を補強できる。
【発明の効果】
【００１３】
本発明によれば、リテーナをコネクタハウジングに係止するための構造と、コネクタハウジングの相手側ハウジングとの嵌合をガイドするための構造との干渉を回避できるコネクタを提供できる。
【図面の簡単な説明】
【００１４】
【図１】実施形態のコネクタの斜視図
【図２】実施形態のコネクタの正面図
【図３】実施形態のコネクタの側面図
【図４】リテーナの斜視図
【図５】リテーナの正面図
【図６】図２のＡ−Ａ線断面図
【図７】図２のＢ−Ｂ線断面図
【図８】コネクタに端子を装着途中の様子を、図２のＢ−Ｂ線と同一箇所で切断して示す断面図
【図９】コネクタに端子を装着した様子を、図２のＢ−Ｂ線と同一箇所で切断して示す断面図
【図１０】リテーナが仮係止位置に保持された様子を示す断面図（図３のＣ−Ｃ断面図）
【図１１】リテーナが仮係止位置から本係止位置に移動する途中の様子を図３のＣ−Ｃ線と同一箇所で切断して示す断面図
【図１２】リテーナが本係止位置に保持された様子を図３のＣ−Ｃ線と同一箇所で切断して示す断面図
【発明を実施するための形態】
【００１５】
本発明の実施形態を、図１〜図１２を参照しつつ説明する。
【００１６】
本実施形態のコネクタ１は、端子９０が装着され、相手側コネクタ（図示せず）に対して嵌合されるものである。コネクタ１は、コネクタハウジング１０と、このコネクタハウジング１０に装着されるリテーナ７０とを備えている。コネクタハウジング１０とリテーナ７０とは、いずれも合成樹脂製である。
【００１７】
コネクタハウジング１０は、図１、図２および図３に示すように、全体として直方体のブロックである。以下の説明では、直方体の６つの外面のうち、相手側コネクタとの嵌合の際に相手側コネクタに対向する面を嵌合面１１、この嵌合面１１と平行な面を嵌合裏面１２とし、嵌合面１１と垂直な４つの外面のうち一面をロック面１３、ロック面１３と平行な面をロック裏面１４、嵌合面１１およびロック面１３に垂直な２つの面のうち一面を挿入面１５、他面を挿入裏面１６とする。
【００１８】
コネクタハウジングは、図１および図２に示すように、ロック面１３に、ロック凹部１７を有している。ロック凹部１７は、ロック面１３を基準として内側に凹む凹部であって、ロック面１３と平行な底面１８（外面に該当）と、この底面１８から連なり、挿入面１５と平行な２つの側面１９Ａ、１９Ｂとによって定義される凹部である。２つの側面１９Ａ、１９Ｂうち、挿入面１５に近い側が第１側面１９Ａ、挿入裏面１６に近い側が第２側面１９Ｂである。ロック凹部１７は、挿入面１５と挿入裏面１６との間の中央に位置している。ロック凹部１７は、嵌合面１１から嵌合裏面１２まで延びており、嵌合面１１側および嵌合裏面１２側の端部が開放されている。
【００１９】
コネクタハウジング１０は、複数の端子収容部２０と、ロック部３０と、リテーナ収容部６０とを有している。
【００２０】
複数の端子収容部２０のそれぞれは、図６、図７および図８に示すように、嵌合面１１から嵌合裏面１２まで貫通し、嵌合面１１および嵌合裏面１２に対して垂直に延びる断面矩形の内壁面２１によって定義される空間である。各端子収容部２０には、嵌合裏面１２から嵌合面１１に向かって端子９０が挿入される。
【００２１】
複数の端子収容部２０が、図１に示すように、ロック面１３と平行方向に、互いに間隔を空けて並んで一列を構成しており、３つの端子収容部２０の列が、互いに平行に、間隔を空けて並んで配置されている。最もロック面１３に近接した第１列は、底面１８よりもロック面１３に近い位置に配置されており、第１列を構成する複数の端子収容部２０は、挿入面１５とロック凹部１７との間に並んでいる。第１列に隣接する第２列、および、最もロック裏面１４に近接した第３列は、ロック凹部１７の底面１８とロック裏面１４との間に配置されており、各列を構成する複数の端子収容部２０は、挿入面１５と挿入裏面１６との間に並んでいる。
【００２２】
ロック部３０は、図１に示すように、ロック凹部１７の内部に配置されており、その一部がロックアーム３１、他の部分が保持受部４１である。
【００２３】
ロックアーム３１は、コネクタハウジング１０が相手側コネクタと嵌合された際に、コネクタハウジング１０と相手側ハウジングを正規嵌合位置にロックするための部分である。ロックアーム３１は、図１に示すように、底面１８から垂直に立ち上がる支持部３２と、支持部３２の立ち上がり端から嵌合裏面１２に向かって延びるロック板部３３とを備えている。ロック板部３３は、底面１８に対して間隔を空けて配置されており、支持部３２を支点として底面１８に対して接近又は離間する方向へ弾性撓みすることが可能となっている。支持部３２は、嵌合面１１よりもやや嵌合裏面１２に近い位置に配置されている。
【００２４】
ロックアーム３１は、ロック突起３４を有している。ロック突起３４は、ロック板部３３から垂直に立ち上がる突起であって、ロック板部３３において、底面１８とは反対側の面に配置されている。コネクタハウジング１０が相手側コネクタと嵌合される際には、ロック板部３３が底面１８に近接する方向に撓んだ後、弾性復帰し、ロック突起３４が相手側コネクタに設けられた受け部に係止される。これにより、コネクタハウジング１０が図示しない相手側ハウジングに対して正規嵌合位置にロックされる。
【００２５】
保持受部４１は、リテーナ７０がコネクタハウジング１０に装着された際に、リテーナ７０を所定位置に保持するための部分である。保持受部４１は、図１に示すように、ロックアーム３１から連なり、支持部３２よりも嵌合面１１に近接して配置されている。保持受部４１は、２つの立設壁部４２、４３と、押さえ壁４４（撓み規制部に該当）と、仮係止突起４８と、本係止突起４９とを備える。
【００２６】
２つの立設壁部４２、４３のうち、第１立設壁部４２は、図１および図６に示すように、底面１８において嵌合面１１側の端縁に配置され、底面１８と垂直に立ち上がる壁である。また、第２立設壁部４３は、図１０、図１１および図１２に示すように、底面１８から垂直に立ち上がり、第１立設壁部４２に対して垂直に配置された壁である。第２立設壁部４３は、第１立設壁部４２および支持部３２の挿入裏面１６に近い端縁にそれぞれ連なっている。押さえ壁４４は、図１、図１０、図１１および図１２に示すように、底面１８に対して間隔を空けて、底面１８と平行に配置された板状の部位であって、第１立設壁部４２の立ち上がり端、第２立設壁部４３の立ち上がり端、およびロック板部３３の嵌合面１１に近い端縁に連なっている。
【００２７】
第１立設壁部４２、第２立設壁部４３、押さえ壁４４、支持部３２、およびロック凹部１７の底面１８によって囲まれた空間は、図１０、図１１および図１２に示すように、第１側面１９Ａと対向する面に開口部（進入口４５）を有する係合空間４６である。
【００２８】
仮係止突起４８、および本係止突起４９は、図１０、図１１および図１２に示すように、係合空間４６の内部に配置されている。仮係止突起４８は、底面１８から押さえ壁４４に向かって突出する突起である。本係止突起４９は、底面１８から押さえ壁４４に向かって突出する突起であって、仮係止突起４８よりも第２立設壁部４３に近接する位置に、仮係止突起４８に対して間隔を空けて配置されている。
【００２９】
押さえ壁４４は、図１、図１０、図１１および図１２に示すように、逃がし孔４７（撓み許容空間に該当）を有する。逃がし孔４７は、押さえ壁４４の底面１８と対向する面からその反対側の面まで貫通する孔である。逃がし孔４７は、仮係止突起４８および本係止突起４９と対向する位置に開口して配置されている。
【００３０】
保持受部４１の挿入面１５と平行な側面４１Ａ、４１Ｂのうち、挿入面１５に近い側面４１Ａは、ロックアーム３１の挿入面１５と平行な側面３１Ａ、３１Ｂのうち、挿入面１５に近い側面４１Ａと面一であり、保持受部４１の挿入面４１Ａから離れた側面４１Ｂは、ロックアーム３１の挿入面１５から離れた側面３１Ｂと面一である。保持受部４１は、嵌合面１１側から見て、ロックアーム３１と重なって配置されている。言い換えると、保持受部４１は、端子収容部２０を横切る方向において、ロックアーム３１の側面３１Ａと側面３１Ｂとの間に位置している。
【００３１】
ロック部３０は、第１側面１９Ａおよび第２側面１９Ｂに対して間隔を空けて配置されている。ロック部３０と第１側面１９Ａとの隙間、および、ロック部３０と第２側面１９Ｂとの隙間は、それぞれ、相手側コネクタに設けられるガイドリブを受け入れるためのガイド溝５０である（図２参照）。ガイド溝５０とガイドリブとは、コネクタハウジング１０と相手側ハウジングとの嵌合動作をガイドする役割、および、コネクタハウジング１０に対して相手側ハウジングが反対向きの姿勢だった場合の不正規嵌合を規制する役割を果たす。
【００３２】
リテーナ収容部６０は、図１０、図１１および図１２に示すように、挿入面１５に開口部（リテーナ挿入口６１）を有し、複数の端子収容部２０を横切って配置される空間であって、挿入裏面１６と平行な突き当たり面６２と、この突き当たり面６２から挿入面１５に向かって延びる内周面６３によって定義される空間である。突き当たり面６２は、挿入裏面１６と、最も挿入裏面１６に近接して配置された端子収容部２０との間に位置している。リテーナ収容部６０は、複数の端子収容部２０のそれぞれと連通している。
【００３３】
リテーナ収容部６０の内周面６３は、ロック面１３に近接して、ロック面１３と平行に配置された天井面６４を有しており、この天井面６４は、図１０に示すように、２つの段を有している。２つの段のうち、ロック面１３に近い第１段部６４Ａが挿入面１５とロック凹部１７との間に位置しており、ロック面１３から遠い第２段部６４Ｂが第１段部６４Ａと隣接して挿入面１５と離れて位置している。第１段部６４Ａと第２段部６４Ｂとの間には、挿入面１５と平行な蹴込み面（図示せず）が配置されている。
【００３４】
コネクタハウジング１０は、図１０、図１１および図１２に示すように、リテーナ収容部６０と係合空間４６とを連通する通過孔６５を有している。通過孔６５は、底面１８から第２段部６４Ｂまで貫通する孔と、第１側面１９Ａから蹴込み面まで貫通する孔とが繋がった形状の孔である。
【００３５】
リテーナ７０は、リテーナ収容部６０の内部に収容される部材である。リテーナ７０は、コネクタハウジング１０に対し、端子収容部２０を横切る方向に（挿入面１５から挿入裏面１６に向かって）挿入されるサイドリテーナであって、端子収容部２０に対する端子９０の挿抜作業を許容する仮係止位置と、端子９０の挿抜を規制する本係止位置との間で、端子収容部２０を横切る方向に変位可能とされている。リテーナ７０は、リテーナ本体部７１と保持部８１とを備えている。
【００３６】
リテーナ本体部７１は、図４および図５に示すように、蓋板７２および奥板７３と、複数の床部７４、７５、７６と、複数の仕切り壁７７と、複数のランス７８と、複数の端子係止突起７９とを有している。
【００３７】
蓋板７２および奥板７３は、それぞれ、挿入面１５と平行に配置されている。蓋板７２は、図１および図３に示すように、その外形がリテーナ挿入口６１の孔縁の形状とほぼ等しくなっており、図１２に示すように、リテーナ７０が本係止位置に装着された状態で、リテーナ挿入口６１を塞いで配置される。奥板７３は、図１２に示すように、リテーナ７０が本係止位置に装着された状態で突き当たり面６２に当接する。
【００３８】
複数の床部７４、７５、７６は、端子収容部２０の列の数に対応して３段が、互いに間隔を空けて配置されている。各床部７４、７５、７６は、図５に示すように、蓋板７２と奥板７３との間に、蓋板７２および奥板７３と垂直に（リテーナ７０がリテーナ収容部６０に収容された状態でロック面１３と平行に）配置されている。
【００３９】
３つの段のうち、リテーナ７０がリテーナ収容部６０に収容された状態で最もロック面１３に近い段が第１床部７４であり、２段目が第２床部７５、最もロック面１３から離れた段が第３床部７６である。第２床部７５の両端部は、それぞれ、蓋板７２と奥板７３とに接続している。第３床部７６も同様である。第１床部７４は第２床部７５および第３床部７６よりも短く、蓋板７２から奥板７３に向かって延びている。  
【００４０】
リテーナ７０がリテーナ収容部６０に収容された状態では、図１０、図１１、および図１２に示すように、第２床部７５は第２列を構成する端子収容部２０とロック凹部１７の底面１８との間に位置し、その一部が、リテーナ収容部６０の第２段部６４Ｂに当接する。また、第３床部７６は第２列を構成する端子収容部２０と第３列を構成する端子収容部２０との間に位置する。第１床部７４は、挿入面１５とロック凹部１７との間に配置され、第１列を構成する端子収容部２０とロック面１３との間に位置し、リテーナ収容部６０の第１段部６４Ａに当接する。
【００４１】
仕切り壁７７は、各床部７４、７５、７６に対して垂直に立設する壁である。仕切り壁７７は、図５に示すように、第１床部７４から第２床部７５に向かって１つ、第２床部７５から第３床部７６に向かって複数、第３床部７６から第２床部７５と反対側に向かって複数が、それぞれ立設されている。第１床部７４から延びる１つの仕切り壁７７は第２床部７５に、第２床部７５から延びる複数の仕切り壁７７はそれぞれ第３床部７６に接続されている。リテーナ７０がリテーナ収容部６０に装着された状態では、各仕切り壁７７は、隣り合う２つの端子収容部２０の間に位置する。各床部７４、７５、７６と各仕切り壁７７とで区切られた空間のそれぞれは、各端子収容部２０に連通している。
【００４２】
複数のランス７８は、図４および図５に示すように、各床部７４、７５、７６において、リテーナ７０がリテーナ収容部６０に収容された状態でロック裏面１４と対向する面に配置されている。各ランス７８は、各床部７４、７５、７６からそれぞれ嵌合面１１に向かって斜めに延びる部材であって、各床部７４、７５、７６に接続している基端部を支点として、各床部７４、７５、７６に対して接近又は離間する方向へ弾性撓みすることが可能となっている。ランス７８は、各端子収容部２０に対してそれぞれ１つずつが配置されている。
【００４３】
複数の端子係止突起７９のそれぞれは、各床部７４、７５、７６において、リテーナ７０がリテーナ収容部６０に収容された状態でロック裏面１４と対向する面に配置されている。複数の端子係止突起７９のそれぞれは、ランス７８と同様に、各端子収容部２０に対してそれぞれ１つずつが配置されている。各端子係止突起７９は、図６に示すように同じ端子収容部２０に対して配置されるランス７８よりも嵌合裏面１２に近接した位置であって、かつ、図５に示すように同じ端子収容部２０に対して配置されるランス７８に対して蓋板７２側に寄った位置に配置されている。
【００４４】
保持部８１は、保持受部４１と係合して、リテーナ７０をコネクタハウジング１０に対して、仮係止位置または本係止位置に保持するための部分である。保持部８１は、第２床部７５の第３床部７６とは反対側の面（リテーナ７０がリテーナ収容部６０に収容された状態でロック面１３と対向する面）において、第１床部７４よりも奥板７３に近接した位置に配置されている。
【００４５】
保持部８１は、脚部８２と、撓み板８３（撓み部に該当）と、保持凸部８４とを備えている。脚部８２は、第２床部７５から第３床部７６とは反対側に向かって立ち上がる部分である。撓み板８３は、脚部８２から奥板７３に向かって延びる板状の部分である。撓み板８３は、第２床部７５と平行に、第２床部７５に対して間隔を空けて配置されており、脚部８２を支点として第２床部７５に対して接近又は離間する方向へ弾性撓みすることが可能となっている。リテーナ７０がリテーナ収容部６０に収容された状態では、撓み板８３は、保持受部４１の係合空間４６に収容され、押さえ壁４４に当接する。
【００４６】
保持凸部８４は、撓み板８３から第２床部７５に向かって突出する凸部であって、仮係止突起４８または本係止突起４９と係合する。
【００４７】
コネクタハウジング１０には、複数の端子９０が装着される。各端子９０は、金属製であって、導電性を有している。各端子９０は、図８、図９に示すように、相手側の端子（図示せず）と接続される端子本体９１と、電線Ｗの端末に接続される電線接続部９２とを有している。このうちの電線接続部９２は、端子本体９１の一端に連なる形で設けられている。端子本体９１は、両端に開口した角筒形であって、電線接続部９２に連なる底板９４と、底板９４と対向する天板９３とを有する。天板９３は、ランスを受け入れるランス受入孔９５を有している。１つの端子収容部２０の内部に、１つの端子９０が収容される。
【００４８】
次に、コネクタハウジング１０へのリテーナ７０および端子９０の組付手順を説明する。
【００４９】
まず、リテーナ７０を仮係止位置に装着する。リテーナ７０を、リテーナ挿入口６１を通してリテーナ収容部６０に挿入する。リテーナ７０がリテーナ挿入口６１から突き当たり面６２に向かって進入していくと、保持部８１が通過孔６５を通過し、さらにガイド溝５０を横切って、ロック凹部１７に進入する。そして、撓み板８３が係合空間４６に進入する。すると、保持凸部８４が仮係止突起４８に乗り上げ、撓み板８３が底面１８から離間する方向に撓み変形する。このとき、撓み板８３の先端部（保持凸部８４の配置位置の近傍の部分）が、逃がし孔４７に入り込む。つまり、逃がし孔４７が、撓み板８３の先端部が撓み変形することを許容するスペースとなっている。保持凸部８４が仮係止突起４８を乗り越えると、撓み板８３が弾性復帰し、仮係止突起４８と本係止突起４９との間に保持凸部８４が収まる。これにより、リテーナ７０が仮係止位置に保持される（図１０参照）。
【００５０】
このとき、各ランス７８が、リテーナ７０の挿入方向において各端子収容部２０と同じ位置に配置される。つまり、各端子９０の挿入経路上に各ランス７８が配置される。一方、各端子係止突起７９は、リテーナ７０の挿入方向において各端子収容部２０とずれて（端子収容部２０よりも挿入面１５に近接して）配置される。つまり、各端子係止突起７９は、端子９０の挿入経路上から外れて配置される。
【００５１】
続いて、端子９０をコネクタハウジング１０に装着する（図８、図９参照）。各端子９０を、嵌合裏面１２側の開口部から各端子収容部２０に挿入する。端子９０が進入していくと、ランス７８の自由端が端子９０のランス受入孔９５に入り込み、その孔縁に係止して端子９０を抜け止めする（一次係止）。
【００５２】
次に、リテーナ７０を本係止位置に移動させる。リテーナ７０をリテーナ収容部６０の奥方へ押し込むと、保持凸部８４が本係止突起４９に乗り上げ、撓み板８３が底面１８から離間する方向に撓み変形する（図１１参照）。このとき、仮係止位置への装着時と同様、逃がし孔４７が、撓み板８３の先端部が撓み変形することを許容するスペースとなっている。保持凸部８４が本係止突起４９を乗り越えると、撓み板８３が弾性復帰し、保持凸部８４が本係止突起４９に対して、仮係止突起４８とは反対側に配置される。また、奥板７３が突き当たり面６２に突き当たる。これにより、リテーナ７０が本係止位置に保持される（図１２参照）。このとき、保持部８１の全体が係合空間４６の内部に収容されている。
【００５３】
リテーナ７０が本係止位置に保持された状態では、各端子係止突起７９が、リテーナ７０の挿入方向において各端子収容部２０と同じ位置に配置される。各端子係止突起７９は、各端子９０における端子本体９１の一端部（電線接続部９２が接続されている端部）に係止し、端子９０を抜け止めする（二次係止）。
【００５４】
リテーナ７０が本係止位置に保持された状態では、撓み板８３の基端部（脚部８２と接続されている部分）に近い部分に押さえ壁４４が当接する。このように、押さえ壁４４によって撓み板８３が押さえられていることで、保持凸部８４が本係止突起４９に乗り上げるように（つまり、コネクタハウジング１０への係合を脱する方向に）撓み板８３が撓むことが抑制され、保持凸部８４の本係止突起４９に対する係止力が補強される。
【００５５】
以上のように本実施形態によれば、保持受部４１は、ロックアーム３１の側面３１Ａと側面３１Ｂとの間に位置しており、端子収容部２０を横切る方向（リテーナ７０の変位方向）において、ロックアーム３１と重なって配置されている。そして、保持部８１は、リテーナ７０がリテーナ収容部６０に収容されると、保持受部４１の係合空間４６内に収容される。つまり、保持部８１および保持受部４１が、リテーナ７０の変位方向において、ロックアーム３１と重なって配置されている。
【００５６】
ロック部３０（ロックアーム３１および保持受部４１）よりも挿入面１５に近い領域、および、ロック部３０よりも挿入裏面１６に近い領域は、リテーナ７０をコネクタハウジング１０に保持するための構造、およびコネクタハウジング１０を相手側ハウジングに保持するための構造が存在しない領域となっている。そして、この領域には、相手側コネクタとの嵌合を案内するための構造を配置することができる。本実施形態においては、ロック部３０と第１側面１９Ａとの隙間、および、ロック部３０と第２側面１９Ｂとの隙間が、相手側コネクタに設けられるガイドリブを受け入れるためのガイド溝５０となっている。このような構成によって、リテーナ７０をコネクタハウジング１０に係止するための構造と、コネクタハウジング１０の相手側ハウジングとの嵌合をガイドするための構造との干渉を避けることができる。
【００５７】
さらに、保持部８１が、撓み板８３と保持凸部８４とを備え、保持受部４１が、保持凸部８４と係合する仮係止突起４８および本係止突起４９と、撓み板８３に当接する押さえ壁４４とを備え、押さえ壁４４が逃がし孔４７を有し、仮係止突起４８の一部および本係止突起４９が、ロック面１３側から見て逃がし孔４７と重なる位置に配置されている。
【００５８】
このような構成によれば、リテーナ７０のコネクタハウジング１０への組付け時に必要な撓み板８３の最低限の変位を、逃がし孔４７によって許容しつつ、押さえ壁４４によって撓み板８３を押さえることで、保持部８１と保持受部４１との係止力を補強できる。
【００５９】
＜他の実施形態＞
本発明は上記記述及び図面によって説明した実施形態に限定されるものではなく、例えば次のような実施形態も本発明の技術的範囲に含まれる。
（１）上記実施形態では、リテーナ７０がランス７８を備えていたが、ランス７８は、コネクタハウジング１０に配置されていても構わない。
【００６０】
（２）上記実施形態では、撓み許容空間は逃がし孔であったが、撓み許容空間は、押さえ壁部においてロック板部と当接する面から内側に凹んだ凹部であっても構わない。
【００６１】
（３）上記実施形態では、保持受部４１は、ロックアーム３１よりも嵌合面１１に近接して（つまり、リテーナ７０の挿入方向と交差方向においては、ロックアームとずれて）配置されていたが、リテーナ７０の挿入方向と交差方向においては保持受部がロックアームと重なって配置されていても構わない。
【００６２】
（４）上記実施形態では、保持部８１がリテーナ７０に、保持受部４１がコネクタハウジング１０に配置されていたが、保持部がコネクタハウジングに、保持受部がリテーナに配置されていても構わない。
【００６３】
（５）上記実施形態では、ロック部３０と第１側面１９Ａとの間、ロック面３０と第２側面１９Ｂとの間の隙間がガイド溝５０とされていたが、ロック部と挿入面との間、およびロック部と挿入裏面との間に、コネクタハウジングと相手側ハウジングとの嵌合を案内するための構造が配置されていても構わない。
【００６４】
（６）上記実施形態では、コネクタハウジング１０が、相手側ハウジングに設けられたガイドリブを受け入れるガイド溝５０を備えていたが、コネクタハウジングが、相手側ハウジングに設けられたガイド溝に進入するガイドリブを備えていても構わない。
【００６５】
（７）上記実施形態では、コネクタハウジング１０に３つの端子収容部２０の列が配置されていたが、端子収容部２０の配列には特に制限はない。また、上記実施形態では、リテーナ７０が３段の床部７４、７５、７６を有していたが、床部は端子収容部の配列に合わせて配置されていればよい。
【符号の説明】
【００６６】
１…コネクタ
１０…コネクタハウジング
１８…底面（外面）
２０…端子収容部
３１…ロックアーム
４１…保持受部
４４…押さえ壁（撓み規制部）
４７…逃がし孔（撓み許容空間）
６０…リテーナ収容部
７０…リテーナ
８１…保持部
８３…撓み板（撓み部）
９０…端子
【図１】
2015225756.tif 000003
【図２】
2015225756.tif 000004
【図３】
2015225756.tif 000005
【図４】
2015225756.tif 000006
【図５】
2015225756.tif 000007
【図６】
2015225756.tif 000008
【図７】
2015225756.tif 000009
【図８】
2015225756.tif 000010
【図９】
2015225756.tif 000011
【図１０】
2015225756.tif 000012
【図１１】
2015225756.tif 000013
【図１２】
2015225756.tif 000014